(57)【要約】【課題】  本発明は、着色時又は塗装時における煩雑さを解消し、多種の色彩や複雑な模様を施すことができる意匠性に優れたボタンを提供する。【解決手段】  底部材に、表面部に貫通孔を有する外部材の周縁部を挟着して一体とするボタンにおいて、貫通孔にて形成される文字、模様等の装飾部を表面部に有する外部材の内側に、前記装飾部の一部又は全部を形成する凸部を表面部に有する内部材を具備して、前記装飾部に前記凸部が嵌合したことを特徴とするボタン。【選択図】  図２
2009050430.tif 000002
【特許請求の範囲】
【請求項１】
底部材に、表面部に貫通孔を有する外部材の周縁部を挟着して一体とするボタンにおいて、
貫通孔にて形成される文字、図形、記号又はこれらを結合した装飾部を表面部に有する外部材の内側に、
内部材を具備したことを特徴とするボタン。
【請求項２】
底部材に、表面部に貫通孔を有する外部材の周縁部を挟着して一体とするボタンにおいて、
貫通孔にて形成される文字、図形、記号又はこれらを結合した装飾部を表面部に有する外部材の内側に、
前記装飾部の一部又は全部を形成する凸部を表面部に有する内部材を具備して、前記装飾部に前記凸部が嵌合したことを特徴とするボタン。
【請求項３】
前記内部材の表面部に挟着材を具備したことを特徴とする請求項１及び請求項２に記載のボタン。
【請求項４】
前記装飾部における貫通孔はプレス加工、エッチング加工、レーザー加工のいずれかにて設け、前記外部材には金属板を用い、前記内部材には金属板又は合成樹脂板を用いることを特徴とする請求項１及び請求項２に記載のボタン。
【請求項５】
前記装飾部における貫通孔はプレス加工、エッチング加工、レーザー加工のいずれかにて設け、前記外部材には金属板を用い、前記内部材には金属板又は合成樹脂板を用い、前記挟着材には金属板、合成樹脂板、皮革又は生地を用いることを特徴とする請求項３に記載のボタン。
【発明の詳細な説明】
【技術分野】
【０００１】
本発明は、着色時又は塗装時における煩雑さを解消し、多種の色彩や複雑な模様を施すことができる意匠性に優れたボタンに関するものである。
【背景技術】
【０００２】
従来より、カバーを設けたボタンは種々の態様のものが知られている。
例えば、底部材にカバーを接続してなるボタンであって、カバーが透明な外部材を含み、該外部材の底部材側に向く内面にプリンティングを形成するボタンが公知である。（例えば、特許文献１参照）。
【０００３】
この構成によれば、透明な外部材の内面にプリンティングを形成しているので、このプリンティングの摩耗や損傷を効果的に防止することができ、ボタンの外観に豊かな変化をもたせることができるものである。
【特許文献１】特開昭６０−２２５５０３号公報
【発明の開示】
【発明が解決しようとする課題】
【０００４】
当該構成において、透明な外被部の内面に一色の不透明色がプリンティングされる場合には、着色が煩雑になるという問題を有することはないが、外被部の面上において、局部的に模様等を設ける為、前記不透明着色を遮断する場合には、当該模様等の形状に合わせた型等を設けることが必須となることもあり、着色が煩雑となる虞がある。
【０００５】
そこで、本発明はこのような問題点を解決するものであって、着色時又は塗装時における煩雑さを解消し、多種の色彩や複雑な模様を施すことができる意匠性に優れたボタンを提供することを課題とする。
【課題を解決するための手段】
【０００６】
前記問題点を解決するために、本発明の請求項１に記載の発明のボタンは、底部材に、表面部に貫通孔を有する外部材の周縁部を挟着して一体とするボタンにおいて、貫通孔にて形成される文字、図形、記号又はこれらを結合した装飾部を表面部に有する外部材の内側に、内部材を具備したことを特徴とするものである。
【０００７】
また、本発明の請求項２に記載の発明のボタンは、底部材に、表面部に貫通孔を有する外部材の周縁部を挟着して一体とするボタンにおいて、貫通孔にて形成される文字、図形、記号又はこれらを結合した装飾部を表面部に有する外部材の内側に、前記装飾部の一部又は全部を形成する凸部を表面部に有する内部材を具備して、前記装飾部に前記凸部が嵌合したことを特徴とするものである。
【０００８】
また、本発明の請求項３に記載の発明のボタンは、請求項１及び請求項２に記載のボタンにおいて、前記内部材の表面部に挟着材を具備したことを特徴とするものである。
【０００９】
また、本発明の請求項４に記載の発明のボタンは、請求項１及び請求項２に記載のボタンにおいて、前記装飾部における貫通孔はプレス加工、エッチング加工、レーザー加工のいずれかにて設け、前記外部材には金属板を用い、前記内部材には金属板又は合成樹脂板を用いることを特徴とするものである。
【００１０】
また、本発明の請求項５に記載の発明のボタンは、請求項３に記載のボタンにおいて、前記装飾部における貫通孔はプレス加工、エッチング加工、レーザー加工のいずれかにて設け、前記外部材には金属板を用い、前記内部材には金属板又は合成樹脂板を用い、前記挟着材には金属板、合成樹脂板、皮革又は生地を用いることを特徴とするものである。
【発明の効果】
【００１１】
請求項１記載のボタンに係る発明では、貫通孔にて形成される文字、図形、記号又はこれらを結合した装飾部を表面部に有する外部材の内側に、内部材を具備するので、前記内部材における表面部の色彩が、そのまま前記外部材における前記装飾部の色彩となり、装飾部の塗装が煩雑となることもなく、前記外部材及び前記内部材の色彩を変化させるだけで、多種多様の前記ボタンを容易に形成することができる。
前記装飾部が貫通孔にて形成されていることから、塗装等による色彩の装飾と比べて前記装飾部の輪郭線を明瞭にすることができる。これによって、前記ボタンは内部材及び外部材の２層を有するものであるが、恰も一体物に見られるような外観を有することができる。
【００１２】
また、請求項２記載のボタンに係る発明では、貫通孔にて形成される文字、図形、記号又はこれらを結合した装飾部を表面部に有する外部材の内側に、前記装飾部の一部又は全部を形成する凸部を表面部に有する内部材を具備して、前記装飾部に前記凸部を嵌合させるので、前記装飾部の一部又は全部を立体的にすることができる。
具体的には、前記装飾部の一部に凸部を設けた際には、前記凸部と前記内部材における前記表面部との間で、前記装飾部を立体的及び平面的とする二重構造にすることができるので、意匠性を向上させることができる。
また、前記装飾部の全部を凸部とした際は、前記凸部と前記外部材における前記表面部との間で、前記装飾部を立体的及び平面的とする二重構造にすることができるので、意匠性を向上させることができる。
更に、前記凸部を設けることで、前記外部材と前記内部材とを嵌合させる際の位置決めとすることもできる。
前記装飾部が貫通孔にて形成されていることから、塗装等による色彩の装飾と比べて前記装飾部の輪郭線を明瞭にすることができる。これによって、前記ボタンは内部材及び外部材の２層を有するものであるが、恰も一体物に見られるような外観を有することができる。
また、前記内部材における前記表面部の色彩が、そのまま前記外部材における前記装飾部の色彩となるので、装飾部の塗装が煩雑となることもない。
また、内部材を設けることでボタンの強度を向上させることもできる。
【００１３】
更に、請求項３記載のボタンに係る発明では、請求項１及び請求項２における効果に加えて、前記内部材の表面部に挟着材を具備したので、複数の色彩を外部材における表面上に表現することができるので、より多くの色彩によって更なる意匠性の向上を図ることができる。
【００１４】
また、請求項４記載のボタンに係る発明では、前記装飾部における貫通孔はプレス加工、エッチング加工、レーザー加工のいずれかにて設け、前記外部材には金属板を用い、前記内部材には金属板又は合成樹脂板を用いたので、請求項１及び請求項２に係る効果に加えて、前記装飾部が微細な形状でも容易に加工することができるので、前記装飾部の輪郭線を極めて明瞭にすることができる。また、前記外部材及び前記内部材の両者は金属板から形成されている場合には、前記表面部及び前記凸部から構成される前記装飾部は違和感を生ずることなく、恰も一体物に見られるような外観を有することができる。更に、前記内部材が合成樹脂板から形成されている場合には、当該ボタンを取り付けた衣服の生地と前記外部材から視認される多種の色彩や複雑な模様を同系色等にして合わせることができるので、更に意匠性を向上させることができる。
【００１５】
また、請求項５記載のボタンに係る発明では、前記装飾部における貫通孔はプレス加工、エッチング加工、レーザー加工のいずれかにて設け、前記外部材には金属板を用い、前記内部材には金属板又は合成樹脂板を用い、前記挟着材には金属板、合成樹脂板、皮革又は生地を用いたので、請求項３に係る効果に加えて、前記装飾部が微細な形状でも容易に加工することができるので、前記装飾部の輪郭線を極めて明瞭にすることができる。また、前記外部材及び前記内部材の両者は金属板から形成されている場合には、前記表面部及び前記凸部から構成される前記装飾部は違和感を生ずることなく、恰も一体物に見られるような外観を有することができる。更に、前記内部材が合成樹脂板から形成されているか若しくは、前記挟着材が合成樹脂板、皮革又は生地から形成されている場合には、当該ボタンを取り付けた衣服の生地と前記外部材から視認される多種の色彩や複雑な模様を同系色等にして合わせることができるので、更に意匠性を向上させることができる。
【発明を実施するための最良の形態】
【００１６】
以下、本発明の実施の形態におけるボタンを図面に基づいて説明する。
【００１７】
図１は、本発明の実施例１に係るボタンにおける外部材、内部材及び底部材の配置状態の斜視図である。図２は、本発明の実施例１に係るボタンにおける（ａ）底部材と一体化した内部材へ外部材を取り付ける前の配置状態の斜視図、（ｂ）斜視図である。図３は、本発明の実施例１に係るボタンの図２（ｂ）における（ａ）矢視Ａから見た正面図、（ｂ）Ｂ―Ｂ断面正面図である。図４は、本発明の実施例２に係るボタンにおける内部材を底部材へ取り付ける前の配置状態の斜視図である。図５は、本発明の実施例２に係るボタンにおける（ａ）底部材と一体化した内部材へ外部材を取り付ける前の配置状態の斜視図、（ｂ）斜視図である。図６は、本発明の実施例２に係るボタンの図５（ｂ）における（ａ）矢視Ｃから見た正面図、（ｂ）Ｄ―Ｄ断面正面図である。図７は、本発明の実施例２に係るボタンにおける別仕様例の説明を示す各部品の平面図及び別仕様例のボタンの平面図である。図８は、本発明の実施例２に係る別仕様のボタンの図７における（ａ）矢視Ｅから見た正面図、（ｂ）Ｆ―Ｆ断面正面図である。
【実施例１】
【００１８】
本発明のボタンの実施例１について、図１及び図２に基づいて説明する。
【００１９】
本願発明の実施の形態に係るボタン１は、図１に示すように、前記ボタン１の外側部分を形成する外部材２、前記外部材２の内側に設置され補強、様々な色彩の効果を成す内部材３、及び衣服等の生地へと取り付けるための底部材４とから構成されている。
【００２０】
図１に示すように、前記ボタン１の外側部分を形成する前記外部材２は、貫通孔にて形成される文字、図形、記号又はこれらを結合した装飾部２ｃを前記外部材２における表面部２ａに有する真鍮等の金属板をプレス加工等によって、周縁部２ｂを有するようにボタン１の外形に合わせて加工することで形成される。また、前記装飾部２ｃは、プレス加工、エッチング加工及びレーザー加工等によって形成され、他の公知手段により形成することもできる。
【００２１】
また、同図に示すように、前記外部材２の内側に設置され補強、様々な色彩の効果を成す前記内部材３は、真鍮等の金属板をプレス加工等によって、周縁部３ｂを有するように加工することで形成される。このとき、前記内部材３における表面部３ａには、前記装飾部２ｃの一部又は全部を形成する凸部３ｃが同時に形成される。
また、前記内部材３は前記外部材２の内側に配置されるので、前記周縁部３ｂは前記外部材２における前記周縁部２ｂより僅かに小さくなるよう形成されている。
【００２２】
また、同図に示すように、衣服等の生地へと取り付けるための前記底部材４は、合成樹脂で成形されるか、真鍮等の金属板をプレス加工等によって、軸部４ａ及び周縁部４ｂを有するように加工することで形成される。また、前記底部材４は前記内部材３の内側に配置されるので、前記周縁部４ｂは前記内部材３における前記周縁部３ｂより僅かに小さくなるよう形成されている。
【００２３】
このようにして形成される前記内部材３及び前記底部材４は、図１の矢印に示すように配置させ、図２（ａ）に示すようにして係合される。
具体的には、前記内部材３と前記底部材４の中心を一致させて、前記底部材４を内側に重ね、前記底部材４における前記周縁部４ｂを、前記周縁部４ｂからはみ出した前記内部材３における前記周縁部３ｂにて抱き込むように挟着して一体化される。また、前記内部材３及び前記底部材４からなる部材は、合成樹脂にて一体成形とすることもできる。
【００２４】
更に、図２（ａ）の矢印に示すように前記外部材２を配置し、前記底部材４を一体化した前記内部材３を内側に重ね、貫通孔により形成された前記装飾部２ｃに前記装飾部２ｃの一部又は全部を形成する凸部３ｃを嵌合させ、前記内部材３における前記周縁部３ｂを、前記周縁部３ｂからはみ出した前記外部材２における前記周縁部２ｂにて抱き込むように挟着して一体化させることで、図２（ｂ）に示すように、前記ボタン１は構成される。
【００２５】
このようにして、前記凸部３ｃを形成することで、図３（ａ）及び（ｂ）に示すように、前記装飾部２ｃの一部又は全部を立体的にすることができる。具体的には、前記装飾部２ｃの一部に前記凸部３ｃを設けた際には、前記凸部３ｃと前記内部材３における前記表面部３ａとの間で、前記装飾部２ｃを立体的及び平面的とする二重構造にすることができるので、意匠性を向上させることができる。
また、前記装飾部２ｃの全部を前記凸部３ｃとした際は、前記凸部３ｃと前記外部材２における前記表面部２ａとの間で、前記装飾部２ｃを立体的及び平面的とする二重構造にすることができるので、意匠性を向上させることができる。
更に、前記外部材２における貫通孔にて形成される前記装飾部２ｃはプレス加工等によって形成されている為、微細な形状でも容易に加工することができるので、前記装飾部２ｃの輪郭線を極めて明瞭にすることができる。また、前記外部材２及び前記内部材３の両者は金属板から形成されている為、前記表面部３ａ及び前記凸部３ｃから構成される前記装飾部２ｃは違和感を生ずることなく、恰も一体物に見られるような外観を有することができる。
また、前記凸部３ｃは、前記外部材２と前記内部材３とを嵌合させる際の位置決めの効果も奏する。
また、前記外部材２における前記表面部２ａの貫通孔にて形成される前記装飾部２ｃより前記凸部３ｃを突出させる等して、前記凸部３ｃにおける突出高さを変化させることでも意匠性を変化又は向上させることができる。
また、前記内部材３における前記表面部３ａの色彩が、そのまま前記外部材２における前記装飾部２ｃの色彩となるので、装飾部の塗装が煩雑となることもない。
更に、前記外部材２と前記底部材４の間に、前記内部材３と同様の部材を別途に設け、内部を２層又はそれ以上にすることで、更に多種の色彩や複雑な模様を施すこともできる。当該構成については、後述する。
【００２６】
以上、説明した本発明の実施例１に係る前記ボタン１によれば、前記外部材２と前記内部材３を嵌合させる際に、貫通孔により形成された前記装飾部２ｃに前記装飾部２ｃの一部又は全部を形成する凸部３ｃを嵌合させるので、前記装飾部２ｃの一部又は全部を立体的にすることができる。具体的には、前記装飾部２ｃの一部に前記凸部３ｃを設けた際には、前記凸部３ｃと前記内部材３における前記表面部３ａとの間で、前記装飾部２ｃを立体的及び平面的とする二重構造にすることができるので、意匠性を向上させることができる。
また、前記装飾部２ｃの全部を前記凸部３ｃとした際は、前記凸部３ｃと前記外部材２における前記表面部２ａとの間で、前記装飾部２ｃを立体的及び平面的とする二重構造にすることができるので、意匠性を向上させることができる。
更に、前記外部材２における貫通孔にて形成される前記装飾部２ｃはプレス加工等によって形成されている為、微細な形状でも容易に加工することができるので、前記装飾部２ｃの輪郭線を極めて明瞭にすることができる。また、前記外部材２及び前記内部材３の両者は金属板から形成されている為、前記表面部３ａ及び前記凸部３ｃから構成される前記装飾部２ｃは違和感を生ずることなく、恰も一体物に見られるような外観を有することができる。
また、前記凸部３ｃを設けることで、前記外部材２と前記内部材３とを嵌合させる際の位置決めとすることもできる。
更に、前記内部材３における前記表面部３ａの色彩が、そのまま前記外部材２における前記装飾部２ｃの色彩となるので、装飾部の塗装が煩雑となることもなく、前記外部材２及び前記内部材３の色彩を変化させるだけで、多種多様の前記ボタン１を容易に形成することができる。
また、内部材を設けることでボタンの強度を向上させることもできる。
【実施例２】
【００２７】
本発明のボタンの実施例２について、図４乃至図６に基づいて説明する。
【００２８】
本願発明の実施の形態に係るボタン５は、前記実施例１と同様に外部材２、内部材３及び底部材４とから構成されている。よって、前記実施例１におけるボタン１と相違する点についてのみ説明する。
図４に示すように、実施例２における前記内部材３は、前記表面部３ａに前記凸部３ｃを有しない点で相違する。
【００２９】
このようにして形成される前記内部材３及び前記底部材４は、図４の矢印に示すように配置され、図５（ａ）に示すようにして係合される。
具体的には、前記内部材３と前記底部材４の中心を一致させて、前記底部材４を内側に重ね、前記底部材４における前記周縁部４ｂを、前記周縁部４ｂからはみ出した前記内部材３における前記周縁部３ｂにて抱き込むように挟着して一体化される。
【００３０】
更に、図５（ａ）の矢印に示すように前記外部材２を配置し、前記底部材４を一体化した前記内部材３を内側に重ね、前記内部材３における前記周縁部３ｂを、前記周縁部３ｂからはみ出した前記外部材２における前記周縁部２ｂにて抱き込むように挟着して一体化させることで、図５（ｂ）に示すように、前記ボタン５は構成される。
【００３１】
以上、説明した本発明の実施例２に係る前記ボタン５によれば、図６（ａ）及び（ｂ）に示すように、前記実施例１における前記ボタン１の前記凸部３ｃを有することがないので、前記凸部３ｃを有することによる係る効果は奏しないが、前記外部材２における貫通孔にて形成される前記装飾部２ｃはプレス加工等によって形成されている為、微細な形状でも容易に加工することができるので、前記装飾部２ｃの輪郭線を極めて明瞭にすることができる。また、前記外部材２及び前記内部材３の両者は金属板から形成されている為、前記表面部３ａ及び前記凸部３ｃから構成される前記装飾部２ｃは違和感を生ずることなく、恰も一体物に見られるような外観を有することができる。
更に、前記内部材３における前記表面部３ａの色彩が、そのまま前記外部材２における前記装飾部２ｃの色彩となるので、装飾部の塗装が煩雑となることもなく、前記外部材２及び前記内部材３の色彩を変化させるだけで、多種多様の前記ボタン５を容易に形成することができる。
また、内部材を設けることでボタンの強度を向上させることもできる。
【００３２】
また、前記実施例１及び前記実施例２における前記外部材２と前記内部材３の間に、挟着材６を別途に設け、内部を２層又はそれ以上にすることで、更に多種の色彩や複雑な模様を施すこともできる。
具体的に、内部を２層にした際について説明する。図７及び図８に示すように、前記内部材３の上に、装飾部６ｃを有する前記挟着材６を配置した後、その上から前記装飾部６ｃの形状を含む前記装飾部２ｃを有する前記内部材２を配置して前記底部材４と一体化することで、別仕様のボタン７を形成することができる。このとき、前記挟着材６は、前記内部材３上に設置されればよいもので、その形状は問題としない。また、前記外部材２における前記装飾部２ｃから視認される為、様々な形状に加工することで意匠性を向上させることができる。
これによって、前記内部材３及び前記挟着材６の色彩又は模様を前記外部材２における前記表面部２ａ上に同時に表現することができ、更なる意匠性の向上を図ることができる。
また、前記挟着材６は、前記内部材３における前記表面部２ａ上において複数設置することもできる。
【００３３】
このとき、前記挟着材６は、前記実施例１及び前記実施例２における前記内部材３のように金属板に限るものではなく、多種の色彩や複雑な模様を施した合成樹脂板、皮革又は衣服等の生地等とすることもできる。これによって、当該ボタン１を取り付けた衣服の生地と前記ボタン１における前記外部材２から視認される多種の色彩や複雑な模様を同系色等にして合わせることができるので、更に意匠性を向上させることができる。
【００３４】
また、前記実施例１及び前記実施例２における前記内部材３は、金属板に限られるものではなく、多種の色彩や複雑な模様を施した合成樹脂板等とすることもできる。これによっても、当該ボタン１を取り付けた衣服の生地と前記ボタン１における前記外部材２から視認される多種の色彩や複雑な模様を同系色等にして合わせることができるので、更に意匠性を向上させることができる。
更に、前記実施例１の前記ボタン１及び前記実施例２の前記ボタン５及び前記ボタン７は、前記底部材４における前記軸部４ａの形状を変形させることで、従来から用いられている多種のボタン、例えば、前記軸部４ａを有さないボタン、装飾用ボタン、ジーンズ用ボタン及び衣服の袖等に用いられるボタンに適用することができる。
【図面の簡単な説明】
【００３５】
【図１】本発明の実施例１に係るボタンにおける外部材、内部材及び底部材の配置状態の斜視図である。
【図２】本発明の実施例１に係るボタンにおける（ａ）底部材と一体化した内部材へ外部材を取り付ける前の配置状態の斜視図、（ｂ）斜視図である。
【図３】本発明の実施例１に係るボタンの図２（ｂ）における（ａ）矢視Ａから見た正面図、（ｂ）Ｂ―Ｂ断面正面図である。
【図４】本発明の実施例２に係るボタンにおける内部材を底部材へ取り付ける前の配置状態の斜視図である。
【図５】本発明の実施例２に係るボタンにおける（ａ）底部材と一体化した内部材へ外部材を取り付ける前の配置状態の斜視図、（ｂ）斜視図である。
【図６】本発明の実施例２に係るボタンの図５（ｂ）における（ａ）矢視Ｃから見た正面図、（ｂ）Ｄ―Ｄ断面正面図である。
【図７】本発明の実施例２に係るボタンにおける別仕様例の説明を示す各部品の平面図及び別仕様例のボタンの平面図である。
【図８】本発明の実施例２に係る別仕様のボタンの図７における（ａ）矢視Ｅから見た正面図、（ｂ）Ｆ―Ｆ断面正面図である。
【符号の説明】
【００３６】
１、５、７  ボタン
２      外部材
２ａ    表面部
２ｂ    周縁部
２ｃ    装飾部
３      内部材
３ａ    表面部
３ｂ    周縁部
３ｃ    装飾凸部
４      底部材
４ａ    軸部
４ｂ    周縁部
６      挟着材
６ａ    表面部
６ｂ    周縁部
６ｃ    装飾部
【図１】
2009050430.tif 000003
【図２】
2009050430.tif 000004
【図３】
2009050430.tif 000005
【図４】
2009050430.tif 000006
【図５】
2009050430.tif 000007
【図６】
2009050430.tif 000008
【図７】
2009050430.tif 000009
【図８】
2009050430.tif 000010